(57)【要約】【課題】補強部材を外から見えなくすることができ、外観を良好とし得且つ強度をも向上し得るトラック用荷台の側壁上部コーナーレール接合構造を提供する。【解決手段】天井壁８上面の側縁部に被せられるよう固着されるレール上面部９ａの上面に、上面補強プレート１６をコーナーレール９の連結箇所に掛け渡すよう固着すると共に、前記レール上面部９ａの側端から下方へ延びるレール側面上部９ｂの内面に、側面上部補強プレート１７をコーナーレール９の連結箇所に掛け渡すよう固着し、更に、前記レール側面上部９ｂの下端から垂下するように延び且つ側壁６外面の上縁部に被せられるよう固着されるレール側面下部９ｃの外面に、側面下部補強プレート１８をコーナーレール９の連結箇所に掛け渡すよう固着し、前記レール側面下部９ｃの全長に亘ってモール１５を、前記側面下部補強プレート１８を覆い隠すよう取り付ける。【選択図】図３
2008162407.tif 000002
【特許請求の範囲】
【請求項１】
箱形の荷台の側壁上部における天井壁との接合部となるコーナー部に、車両前後方向へ延び且つ該コーナー部を覆うコーナーレールを、車両前後方向へ複数本連結させる形で取り付けるようにしたトラック用荷台の側壁上部コーナーレール接合構造において、
前記コーナーレールを、天井壁上面の側縁部に被せられるよう固着されるレール上面部と、該レール上面部の側端から下方へ延びるレール側面上部と、該レール側面上部の下端から垂下するように延び且つ側壁外面の上縁部に被せられるよう固着されるレール側面下部とから構成し、
前記コーナーレールの連結箇所に掛け渡すようレール上面部の上面に固着される上面補強プレートと、
前記コーナーレールの連結箇所に掛け渡すようレール側面上部の内面に固着される側面上部補強プレートと、
前記コーナーレールの連結箇所に掛け渡すようレール側面下部の外面に固着される側面下部補強プレートと、
該側面下部補強プレートを覆い隠すよう前記レール側面下部の全長に亘って取り付けられるモールと
を備えたことを特徴とするトラック用荷台の側壁上部コーナーレール接合構造。
【請求項２】
前記コーナーレールの連結箇所において該コーナーレールを互いに突き合わせた際に、レール上面部同士間及びレール側面上部同士間にシール剤充填空隙が形成されるよう、少なくとも一方のコーナーレール端部に切欠部を設けた請求項１記載のトラック用荷台の側壁上部コーナーレール接合構造。
【発明の詳細な説明】
【技術分野】
【０００１】
本発明は、トラック用荷台の側壁上部コーナーレール接合構造に関するものである。
【背景技術】
【０００２】
一般に、生鮮食品や冷凍食品等を運搬するための保冷車両は、図４に示される如く、トラック１におけるキャブ２後部に、保冷機能を有する箱型の荷台としての保冷庫３を搭載してなる構成を有している。
【０００３】
前記保冷庫３としては、アルミニウム製Ｔ型ボード或いはアピトン木材や合板等の床面材４の前端、両幅端、後端にそれぞれ、前壁５、側壁６、後壁７を立設し、これら前壁５、側壁６、後壁７の上端に天井壁８を設け、前記後壁７の部分を観音開き式の扉とする形式のものが多く採用されている。
【０００４】
そして、前記箱形の荷台としての保冷庫３の側壁６上部における天井壁８との接合部となるコーナー部には、車両前後方向へ延び且つ該コーナー部を覆うアルミニウム製のコーナーレール９が取り付けられる。
【０００５】
前記コーナーレール９は、中型車両の場合には保冷庫３の全長があまり長くないため、一本で対応可能となるが、最近、大型車両に大型の保冷庫３を搭載する要求が高まっている。しかし、大型車両に大型の保冷庫３を搭載する場合には該保冷庫３の全長が非常に長くなり、それに対応する長尺のものが必要となるものの、その製造が困難となるため、どうしても車両前後方向へ複数本（通常二本程度）連結させる形で取り付けるようにせざるを得ない状況となっている。
【０００６】
このため、従来においては、図５〜図７に示される如く、前記コーナーレール９を、天井壁８上面の側縁部に被せられるようリベット１０にて固着されるレール上面部９ａと、該レール上面部９ａの側端から下方へ延びるレール側面上部９ｂと、該レール側面上部９ｂの下端から垂下するように延び且つ側壁６外面の上縁部に被せられるようリベット１１にて固着されるレール側面下部９ｃとから構成し、前記コーナーレール９のレール上面部９ａ及びレール側面上部９ｂの外面に倣うよう屈曲させた補強部材１２を、互いに突き合わされる二本のコーナーレール９の連結箇所に掛け渡すようにリベット１３及びリベット１４にて固着し、更に、前記レール側面下部９ｃの全長に亘ってモール１５を嵌合させることにより、前記レール側面下部９ｃの接合部及び該レール側面下部９ｃを固着するリベット１１を覆い隠すようになっていた。
【０００７】
尚、前記互いに突き合わされる二本のコーナーレール９の連結箇所、該コーナーレール９の外周、並びに前記補強部材１２の外周にはそれぞれ、雨水等の浸入を防止するためのシール剤（図示せず）が塗布されるようになっている。
【０００８】
一方、トラック用荷台構造の一般的技術水準を示すものとしては、例えば、特許文献１がある。
【特許文献１】特開２００５−２５５０７７号公報
【発明の開示】
【発明が解決しようとする課題】
【０００９】
しかしながら、前述の如き従来のコーナーレール９では、人の目に触れる位置に補強部材１２が取り付けられているため、該補強部材１２が非常に目立ってしまい、見栄えが悪くなる一方、前記レール側面下部９ｃの連結箇所には補強がなされておらず、強度面で改善の余地が残されていた。
【００１０】
本発明は、斯かる実情に鑑み、補強部材を外から見えなくすることができ、外観を良好とし得且つ強度をも向上し得るトラック用荷台の側壁上部コーナーレール接合構造を提供しようとするものである。
【課題を解決するための手段】
【００１１】
本発明は、箱形の荷台の側壁上部における天井壁との接合部となるコーナー部に、車両前後方向へ延び且つ該コーナー部を覆うコーナーレールを、車両前後方向へ複数本連結させる形で取り付けるようにしたトラック用荷台の側壁上部コーナーレール接合構造において、
前記コーナーレールを、天井壁上面の側縁部に被せられるよう固着されるレール上面部と、該レール上面部の側端から下方へ延びるレール側面上部と、該レール側面上部の下端から垂下するように延び且つ側壁外面の上縁部に被せられるよう固着されるレール側面下部とから構成し、
前記コーナーレールの連結箇所に掛け渡すようレール上面部の上面に固着される上面補強プレートと、
前記コーナーレールの連結箇所に掛け渡すようレール側面上部の内面に固着される側面上部補強プレートと、
前記コーナーレールの連結箇所に掛け渡すようレール側面下部の外面に固着される側面下部補強プレートと、
該側面下部補強プレートを覆い隠すよう前記レール側面下部の全長に亘って取り付けられるモールと
を備えたことを特徴とするトラック用荷台の側壁上部コーナーレール接合構造にかかるものである。
【００１２】
上記手段によれば、以下のような作用が得られる。
【００１３】
前述の如く構成すると、前記上面補強プレートは、天井壁上面の側縁部に被せられるよう固着されるレール上面部の上面に固着されているため、人の目には触れず、前記側面上部補強プレートは、レール側面上部の内面に固着されているため、人の目には触れず、前記側面下部補強プレートは、レール側面下部の全長に亘って取り付けられるモールによって覆い隠されるため、人の目には触れない。これにより、従来のコーナーレールのように補強部材が目立ってしまうことが避けられ、見栄えを良くすることが可能となる。
【００１４】
一方、前記レール上面部及びレール側面上部の連結箇所に上面補強プレート及び側面上部補強プレートを補強として固着することに加え更に、前記レール側面下部の連結箇所にも補強として側面下部補強プレートが固着されるため、強度面での改善も図られることとなる。
【００１５】
前記トラック用荷台の側壁上部コーナーレール接合構造においては、前記コーナーレールの連結箇所において該コーナーレールを互いに突き合わせた際に、レール上面部同士間及びレール側面上部同士間にシール剤充填空隙が形成されるよう、少なくとも一方のコーナーレール端部に切欠部を設けることができ、このようにすると、特別な治具等を使用せずにコーナーレールを互いに突き合わせるだけで、レール上面部同士間及びレール側面上部同士間にシール剤充填空隙を形成でき、製造時における組付け作業性を改善することが可能となる。
【発明の効果】
【００１６】
本発明の請求項１記載のトラック用荷台の側壁上部コーナーレール接合構造によれば、補強部材を外から見えなくすることができ、外観を良好とし得且つ強度をも向上し得るという優れた効果を奏し得る。
【００１７】
又、本発明の請求項２記載のトラック用荷台の側壁上部コーナーレール接合構造によれば、上記効果に加え更に、製造時における組付け作業性の向上をも図り得るという優れた効果を奏し得る。
【発明を実施するための最良の形態】
【００１８】
以下、本発明の実施の形態を添付図面を参照して説明する。
【００１９】
図１〜図３は本発明を実施する形態の一例であって、図中、図５〜図７と同一の符号を付した部分は同一物を表わしており、基本的な構成は図５〜図７に示す従来のものと同様であるが、本図示例の特徴とするところは、図１〜図３に示す如く、天井壁８上面の側縁部に被せられるようリベット１０にて固着されるレール上面部９ａの上面に、上面補強プレート１６をコーナーレール９の連結箇所に掛け渡すようリベット１３にて固着すると共に、前記レール上面部９ａの側端から下方へ延びるレール側面上部９ｂの内面に、側面上部補強プレート１７をコーナーレール９の連結箇所に掛け渡すようリベット１４にて固着し、更に、前記レール側面上部９ｂの下端から垂下するように延び且つ側壁６外面の上縁部に被せられるようリベット１１にて固着されるレール側面下部９ｃの外面に、側面下部補強プレート１８をコーナーレール９の連結箇所に掛け渡すようリベット１９にて固着し、前記レール側面下部９ｃの全長に亘ってモール１５を、前記側面下部補強プレート１８及びリベット１１を覆い隠すよう取り付けた点にある。
【００２０】
本図示例の場合、前記コーナーレール９の連結箇所において該コーナーレール９を互いに突き合わせた際に、レール上面部９ａ同士間及びレール側面上部９ｂ同士間にシール剤２０を充填するためのシール剤充填空隙Ｓ（５［ｍｍ］程度の隙間）が形成されるよう、一方のコーナーレール９端部に切欠部２１を設けてある。
【００２１】
次に、上記図示例の作用を説明する。
【００２２】
前述の如く構成すると、前記上面補強プレート１６は、天井壁８上面の側縁部に被せられるよう固着されるレール上面部９ａの上面に固着されているため、人の目には触れず、前記側面上部補強プレート１７は、レール側面上部９ｂの内面に固着されているため、人の目には触れず、前記側面下部補強プレート１８は、レール側面下部９ｃの全長に亘って取り付けられるモール１５によって覆い隠されるため、人の目には触れない。これにより、従来のコーナーレール９のように補強部材１２（図５参照）が目立ってしまうことが避けられ、見栄えを良くすることが可能となる。
【００２３】
一方、前記レール上面部９ａ及びレール側面上部９ｂの連結箇所に上面補強プレート１６及び側面上部補強プレート１７を補強として固着することに加え更に、前記レール側面下部９ｃの連結箇所にも補強として側面下部補強プレート１８が固着されるため、強度面での改善も図られることとなる。
【００２４】
更に本図示例においては、一方のコーナーレール９端部に切欠部２１を設けているため、特別な治具等を使用せずにコーナーレール９を互いに突き合わせるだけで、レール上面部９ａ同士間及びレール側面上部９ｂ同士間にシール剤充填空隙Ｓを形成でき、製造時における組付け作業性を改善することも可能となる。
【００２５】
尚、前記一方のコーナーレール９端部にのみ切欠部２１を設ける代りに、両方のコーナーレール９の互いに対向する端部にそれぞれ切欠部２１を設けて、前記シール剤充填空隙Ｓを形成するようにしても良いことは言うまでもない。
【００２６】
こうして、前記上面補強プレート１６、側面上部補強プレート１７、並びに側面下部補強プレート１８といった補強部材を外から見えなくすることができ、外観を良好とし得且つ強度をも向上し得、更に、製造時における組付け作業性の向上をも図り得る。
【００２７】
尚、本発明のトラック用荷台の側壁上部コーナーレール接合構造は、上述の図示例にのみ限定されるものではなく、荷台が保冷庫となっていないものにも適用可能なこと等、その他、本発明の要旨を逸脱しない範囲内において種々変更を加え得ることは勿論である。
【図面の簡単な説明】
【００２８】
【図１】本発明を実施する形態の一例を示す側面図である。
【図２】本発明を実施する形態の一例を示す平面図であって、図１のＩＩ−ＩＩ矢視相当図である。
【図３】本発明を実施する形態の一例を示す分解断面図であって、図１のＩＩＩ−ＩＩＩ矢視相当図である。
【図４】一般的な保冷車両を示す側面図である。
【図５】従来におけるトラック用荷台の側壁上部コーナーレール接合構造の一例を示す側面図である。
【図６】従来におけるトラック用荷台の側壁上部コーナーレール接合構造の一例を示す平面図であって、図５のＶＩ−ＶＩ矢視相当図である。
【図７】従来におけるトラック用荷台の側壁上部コーナーレール接合構造の一例を示す分解断面図であって、図５のＶＩＩ−ＶＩＩ矢視相当図である。
【符号の説明】
【００２９】
１    トラック
２    キャブ
３    保冷庫（荷台）
６    側壁
８    天井壁
９    コーナーレール
９ａ  レール上面部
９ｂ  レール側面上部
９ｃ  レール側面下部
１０    リベット
１１    リベット
１３    リベット
１４    リベット
１５    モール
１６    上面補強プレート
１７    側面上部補強プレート
１８    側面下部補強プレート
１９    リベット
２０    シール剤
２１    切欠部
Ｓ    シール剤充填空隙
【図１】
2008162407.tif 000003
【図２】
2008162407.tif 000004
【図３】
2008162407.tif 000005
【図４】
2008162407.tif 000006
【図５】
2008162407.tif 000007
【図６】
2008162407.tif 000008
【図７】
2008162407.tif 000009